(57)【特許請求の範囲】
【請求項１】
工具主体（１０，２０，３０）が、挾持筒体（１２，２２，３２）と頭体部（１４，２４，３４）を有し、上記挾持筒体は、有底形状であり、筒体の厚みがコアドリルによって発生するコアとコンクリートとの隙間よりも薄く形成され、開口部の内周に先端から次第に小径となるテーパ面が形成され、当該テーパ面の終端がコアの外径より僅かに小径となるテーパ突条縁（１３，２３，３３）に形成されていることを特徴とするコアの抜取り工具。
【請求項２】
工具主体（２０）は、軸部の中心を通り頭体部（２４）から挾持筒体（２２）の底部に達する通孔（２５）が設けられ、該通孔に挿入する突出し棒（２６）を備えていることを特徴とする請求項１に記載のコアの抜取り工具。
【請求項３】
工具主体（３０）は、頭体部（３４）に２つのフランジ（３４ａ，３４ｂ）が設けられ、各該フランジの間に摺動可能に装着したスライドハンマー（３７）を備えていることを特徴とする請求項２に記載のコアの抜取り工具。
【請求項４】
工具主体（１０，２０，３０）は、挟持筒体（１２，２２，３２）と頭体部（１４，２４，３４）との間に該挟持筒体よりも小径な棒状部（１１，２１，３１）が設けられていることを特徴とする請求項１から３のいずれかに記載のコアの抜取り工具。
【発明の詳細な説明】
【０００１】
【発明の属する技術分野】
本発明は、コアの抜取り工具、詳しくはコアドリルを使用してコンクリートに穿孔する時に発生するコアの抜取り工具に関している。
【０００２】
【従来の技術】
コアドリルは、円筒状のボディ筒端に切削刃を設けたものであり、コンクリートに穿孔したときに円筒形状のコア（抜きかす）が発生するものである。コアドリルによってコンクリート床面を穿孔したとき、穿孔する穴が床面を貫通する場合であって、コアの重量が大きい場合は、コアが階下に落下して危険なので、穿孔されたコアの落下を防止する策として特開平１１−３２０５４８号公報記載の装置が提案されている。
【０００３】
提案された上記発明は、コアドリルのボディが大径であって、コアの直径も大きく空調設備工事などを行う場合に適しているが、鉄筋埋込み工事をする場合に穿孔する穴のように、比較的小径な穴あけ作業には適用できない。例えば、耐震補強工事などで、Ｄ１９の鉄筋を接着系アンカーを用いて埋め込むときに形成する穴の穴径は、２５ｍｍであり、しかも、鉄筋埋込み工事の性質上、穿孔する穴を貫通孔とすることはない。
【０００４】
一般に、鉄筋埋込み工事をするとき、鉄筋を埋め込む穴の深さは、穴径の８〜１０倍としている。このため、Ｄ１９の鉄筋を埋め込む穴は、穴径２５ｍｍ、深さ２００ｍｍ以上となる。コンクリートにコアドリルで２００ｍｍの穴を穿けるということは、コンクリートに当該コンクリートと連結された同じ高さのコアが形成されたことであり、コアを取り除いて初めて所望する深さの穴が得られることになる。
【０００５】
コンクリートにコアドリルで穴を穿孔すると、コアの外周には切削刃の厚みに相当する隙間が形成される。従来、コンクリートに残されたコアを取り除くときは、コアの外周に形成された隙間に、マイナスドライバーの先端形状に似せた工具またはマイナスドライバーを打ち込み、くさび作用によってコアの根本部分を破断し、コアは吸塵機を使用して吸い上げて取り除いている。ただし、コアが途中で折れて根本部分が残っているときは、当該部分を破砕し、破砕した破砕粒を吸塵機により吸い上げるなどして所望の深さを確保している。
【０００６】
従来技術には、コンクリートにコアドリルで穿孔したときに、コンクリートに結合されたまま残るコアを取り除く工具または装置はなかった。
【０００７】
【発明が解決しようとする課題】
本発明は、コアドリルによってコンクリートに穿孔をしたときに、コンクリートに結合されたまま残るコアを簡単に取り除くことができるコアの抜取り工具を提供することを課題としている。
【０００８】
【課題を解決するための手段】
解決手段の第１は、工具主体が、挾持筒体と頭体部を有し、上記挾持筒体は、有底形状であり、筒体の厚みがコアドリルによって発生するコアとコンクリートとの隙間よりも薄く形成され、開口部の内周に先端から次第に小径となるテーパ面が形成され、当該テーパ面の終端がコアの外径より僅かに小径となるテーパ突条縁に形成されていることを特徴とするものである。
解決手段の第２は、解決手段の第１において、工具主体は、軸部の中心を通り頭体部から挾持筒体の底部に達する通孔が設けられ、該通孔に挿入する突出し棒を備えていることを特徴とするものである。
解決手段の第３は、解決手段の第２において、工具主体は、頭体部に２つのフランジが設けられ、各該フランジの間に摺動可能に装着したスライドハンマーを備えていることを特徴とするものである。
解決手段の第４は、解決手段の第１から３のいずれかにおいて、工具主体は、挟持筒体と頭体部との間に該挟持筒体よりも小径な棒状部が設けられていることを特徴とするものである。
【０００９】
【発明の実施の形態】
図１において、１０は工具主体であって、棒状部１１の先端に挾持筒体１２を設けたものであり、該挾持筒体１２は棒状部１１よりも大径な有底形状を呈しており、筒体の厚みはコアドリルの穿孔によって発生するコアとコンクリートとの隙間よりも薄く形成され、かつ、開口部の内周縁に先端から次第に小径となるテーパ面に形成し、該テーパ面の終端がコアの外径よりも僅かに小径となるテーパ突条縁１３を形成したものである。又、棒状部１１の基端には頭体部１４が形成され、これら棒状部１１、挾持筒体１２、頭体部１４は一体成形されたものである。
【００１０】
次に、本発明の工具を使用してコアを抜き取る抜取り作業の手順を説明する。図２に示すように、コンクリート１００には図示しないコアドリルによって穿孔されたときにコア１０１が発生し、該コア１０１は外周に切削刃の厚みに相当する隙間１０２が形成されると共に、当該コア１０１は、基部がコンクリートに結合されたままでコンクリート１００と一体になっている。抜取り作業は、始めに、工具主体１０の挾持筒体１２をコア１０１の外周隙間１０２に挿入し、コア１０１の頂部が該挾持筒体１２の底部に達するまで挿入する。
【００１１】
図３に示すように、挾持筒体１２を、コンクリート１００とコア１０１の間に形成された外周隙間１０２に挿入すると、挾持筒体１２の内周縁に形成したテーパ突条縁１３は、内径がコア１０１の外径よりも僅かに小径に形成されているので、挾持筒体１２はテーパ突条縁１３がコア１０１の外周を削りながら圧入される。これにより、テーパ突条縁１３は、先端鋭部がコア１０１に喰い込んでいると同時に、当該テーパ突条縁１３によって閉塞されたコア１０１と挾持筒体１２との隙間に削られたコンクリート小片が落ち込んでいる。
【００１２】
次に、工具主体１０の挾持筒体１２がコア１０１の頂部に装着されたことを確認し、ハンマーなどを使用して頭体部１４を数回叩打する。叩打した力は、工具主体１０の挾持筒体１２を介してコア１０１に伝わり、コア１０１の根本部分１０１ａを破断する。コア１０１の頂部は挾持筒体１２内に圧入されているから、コンクリート１００から分離したコア１０１は工具主体１０を引き上げることによって、外周隙間１０２から取り除かれ、図４ａに示すように、コンクリート１００に外周隙間１０２の内径をもった鉄筋挿入穴１０３が形成される。コア１０１とコンクリート１００とが結合されているコアの根本部分１０１ａは、コア１０１の最も脆弱な部分であり、頭体部１４を叩打した力が根本部分１０１ａに集中して当該部分が破断する。
【００１３】
図４ｂに示すように、コア１０１は常に根本部分から破断するとは限らず、根本部分１０１ａに残留コア１０１ｂが残ってしまうことがある。この場合は、いったん工具主体１０を抜き、挾持筒体１２から抜き取られたコア１０１を外し、再び前記と同じ抜取り作業をするため、挾持筒体１２を外周隙間１０２に挿入する。
【００１４】
図５ａに示す残留コア１０１ｂの頂部は、挾持筒体１２の底部に達していないが、この状態で工具主体１０の頭体部１４を数回叩打すると、叩打した力は挾持筒体１２の先端から外周隙間（１０２）の底部に伝わり、このとき叩打した力が残留コア１０１ｂの根本部分にも伝わってコア１０１の頂部を叩打したときと同様に、残留コア１０１ｂの根本部分が破断され、これにより、外周隙間（１０２）に残っていた残留コア１０１ｂが取り除かれ、該部分に鉄筋挿入穴１０３を形成することができるのである。
【００１５】
【００１６】
本発明では、コンクリート１００に結合されているコア１０１または残留コア１０１ｂに、工具主体１０の頭体部１４を叩打した力をコア１０１または残留コア１０１ｂを介して根本部分１０１ａに伝えて当該根本部分１０１ａを破断するのであるが、挾持筒体１２をコア１０１に圧入するときに、コア１０１の表面に骨材が露出していた場合は、当該骨材をコアの中心部に向って押し込んでいるので、骨材がコア１０１に対して横方向に作用する負荷を与えている。このため、骨材に作用していた横方向の負荷が工具主体１０を叩打した力によって助長されてコア１０１に伝わり、当該箇所が亀裂して破断することになる。
【００１７】
第１実施例
第１実施例は基本構造として図１に示したものである。工具主体１０は、棒状部１１の先端に有底形状の挾持筒体１２を設け、他端に頭体部１４を一体成形したものである。
【００１８】
第２実施例
第２実施例は図６に示すものである。工具主体２０は、棒状部２１と挾持筒体２２と頭体部２４を有しているが、第２実施例は、棒状部２１と頭体部２４に軸方向に平行して貫通した挾持筒体２２の底部に開口する通孔２５を設けたものであって、該通孔２５内に挿入する突出し棒２６を備えているものである。突出し棒２６は、挾持筒体２２がコアを挟持しているとき、頭体部２４に開口する通孔２５に挿入して挾持筒体２２内に詰っているコアを突き出すものである。
【００１９】
第３実施例
第３実施例は図７に示すものである。工具主体３０は、棒状部３１と挾持筒体３２と頭体部３４ならびに棒状部３１と頭体部３４を貫通し挾持筒体３２の底部に開口する通孔３５及び通孔３５に挿入する突出し棒３６を有しているが、第３実施例は、頭体部３４に下部フランジ３４ａと上部フランジ３４ｂを設けたものであって、これらフランジ３４ａ，３４ｂの間にスライドハンマー３７を摺動可能に装着したものである。
【００２０】
第３実施例は、挾持筒体３２をコアの頂部を嵌合したときに、スライドハンマー３７を上下に摺動して下部フランジ３４ａを叩打してコアの抜取り作業をするものである。又、第３実施例では、棒状部３１及び筒体部３４に設けた通孔３５に段部３５ａを形成し、突出し棒３６に上記段部３５ａに係合する大径部３６ａを形成しているので、突出し棒３６は通孔３５内に挿入したままコアの抜取り作業をすることができる。
【００２１】
第１ないし第３実施例において、挾持筒体１２，２２，３２の開口部には、内周にテーパ突条縁１３，２３，３３が形成されている。
【００２２】
【発明の効果】
本発明は、コアドリルを使用してコンクリートに穿孔したときに、コンクリートに結合されたままコンクリートに発生するコアを、根本部分から破断して簡単確実に取り除くことができるものであり、穿孔作業を能率よく行うことができるものとなる。
【図面の簡単な説明】
【図１】  本発明の基本構造及び第１実施例を示す一部破断の側面図。
【図２】  工具の使用状態を示す断面図。
【図３】  図２のＡ部拡大図。
【図４】  コアが抜き取られた状態を示す断面図。
【図５】  コアが抜き取られた他の状態を示す断面図。
【図６】  第２実施例を示す一部破断の側面図。
【図７】  第３実施例を示す一部破断の側面図。
【図８】  第３実施例を示す一部破断の側面図
【符号の説明】
１０  工具主体
１１  棒状部
１２  挾持筒体
１３  テーパ突条縁
１４  頭体部
２０  工具主体
２１  棒状部
２２  挾持筒体
２３  突条縁部
２４  頭体部
２５  通孔
２６  突出し棒
３０  工具主体
３１  棒状部
３２  挾持筒体
３４  頭体部
３４ａ  フランジ
３４ｂ  フランジ
３５  通孔
３５ａ  段部
３６  突出し棒
３６ａ  大径部
３７  スライドハンマー
１００  コンクリート
１０１  コア
１０２  外周隙間
１０３  鉄筋挿入穴
【図１】
0004142877.tif 000002
【図２】
0004142877.tif 000003
【図３】
0004142877.tif 000004
【図４】
0004142877.tif 000005
【図５】
0004142877.tif 000006
【図６】
0004142877.tif 000007
【図７】
0004142877.tif 000008
【図８】
0004142877.tif 000009